(57)【特許請求の範囲】
【請求項１】
搬送路上で冊子状媒体の綴じ部側を捕捉し、冊子状媒体を搬送する搬送ローラ対と、
冊子状媒体のめくり対象頁の自由端縁部に配置され、めくり対象頁をめくる頁めくりローラと、
前記頁めくりローラの下方に配置されて前記頁めくりローラと対をなし、搬送路に対し退避および復帰可能なプレッシャローラと、
前記搬送ローラ対と頁めくりローラの中間位置に配置され、搬送路上部に飛び出し、冊子状媒体を上方に湾曲させるとともに、めくり対象頁のめくり方向面を頁めくりローラに圧接するプレッシャ部とを有し、
搬送路上に保持された冊子状媒体から、前記プレッシャローラを下方に退避させて、めくり対象頁側への押さえ圧力を解除し、前記頁めくりローラの頁めくり方向への回転駆動がプレッシャ部の搬送路上への飛び出し操作とともに行われることにより、プレッシャ部が対象頁を裏面から押し上げ、飛び出し量が大きくなるにつれて、頁めくりローラに対するめくり対象頁の自由端縁の押し付け力が漸次増加するよう前記プレッシャ部を制御し、頁はね上げ後、前記プレッシャローラを搬送路に復帰させ、頁めくりローラとプレッシャローラとにより搬送することにより、冊子状媒体の頁をめくることを特徴とする冊子状媒体の頁めくり装置。
【発明の詳細な説明】
【０００１】
【発明の属する技術分野】
本発明は冊子状媒体の頁めくり装置に関するものである。
【０００２】
【従来の技術】
従来、銀行の預金通帳等の冊子状媒体の頁めくりは図５に示す手順により行われる。すなわち、まず、冊子状媒体の綴じ部側を搬送ローラ対により搬送路上に捕捉し、次いで、搬送路上にプレッシャ部を突出させる。プレッシャ部の突出操作により冊子状媒体は概ね図１に示すように上方に湾曲し、めくり対象頁１ａのめくり方向面が頁めくりローラ２に圧接する。この状態でプレッシャ部４の突出操作を停止して湾曲状態を維持したまま、頁めくりローラ２をめくり方向に回転させる。頁めくりローラ２の回転によりめくり対象頁１ａは頁めくりローラ２との摩擦により接触部が綴じ部１ｃ側に移動することから当該頁の湾曲曲率が小さくなり、さらに頁めくりローラ２の回転駆動を続けると、自由端縁１ｂが頁めくりローラ２の上方に乗り上げる。この後、頁めくりローラ２の回転を停止させて搬送ローラ対３により冊子状媒体１をフィードすると、めくり対象頁１ａは綴じ部１ｃを挟んで反対頁上に倒れ、頁めくり動作が完了する。
【０００３】
【発明が解決しようとする課題】
しかし、上述した従来例において、頁めくりローラ２によるめくり動作はプレッシャ部４における冊子状媒体１への湾曲操作が終了した後に行われるために、以下の問題がある。すなわち、預金通帳等の冊子状媒体１は使用頻度の違い、あるいは冊子状媒体１の材質、厚さ等が異なり、さらに、銀行間では異なった材質の冊子状媒体１を使用するために剛性（腰の強さ）が異なっている。このような条件下でプレッシャ部４の飛び出し高さだけを管理しても、頁めくりローラ２との摩擦力は一定せず、摩擦力が低すぎる場合には、めくり操作が行えず、摩擦力が大きすぎると、次頁も一緒にめくってしまうというめくり不良が発生する。また、かかる問題を解消するためには、冊子状媒体１の剛性に応じてプレッシャ部４の飛び出し高さを変えるように構成することも可能であるが、この場合には、センサ等を必要とするために構造が複雑になるという欠点がある。
【０００４】
本発明は、以上の欠点を解消すべくなされたものであって、簡単な構造で、かつ、めくり動作の信頼性の高い冊子状媒体の頁めくり装置の提供を目的とする。
【０００５】
【課題を解決するための手段】
本発明によれば上記目的は、
搬送路上で冊子状媒体１の綴じ部１ｃ側を捕捉し、冊子状媒体１を搬送する搬送ローラ対３と、
冊子状媒体１のめくり対象頁１ａの自由端縁１ｂ部に配置され、めくり対象頁１ａをめくる頁めくりローラ２と、
前記頁めくりローラ２の下方に配置されて前記頁めくりローラ２と対をなし、搬送路に対し退避および復帰可能なプレッシャローラ５ａと、
前記搬送ローラ対３と頁めくりローラ２の中間位置に配置され、搬送路上部に飛び出し、冊子状媒体１を上方に湾曲させるとともに、めくり対象頁１ａのめくり方向面を頁めくりローラ２に圧接するプレッシャ部４とを有し、
搬送路上に保持された冊子状媒体１から、前記プレッシャローラ５ａを下方に退避させて、めくり対象頁１ａ側への押さえ圧力を解除し、前記頁めくりローラ２の頁めくり方向への回転駆動がプレッシャ部４の搬送路上への飛び出し操作とともに行われることにより、プレッシャ部４がめくり対象頁１ａを裏面から押し上げ、飛び出し量が大きくなるにつれて、頁めくりローラ２に対するめくり対象頁１ａの自由端縁１ｂの押し付け力が漸次増加するよう前記プレッシャ部４を制御し、めくり対象頁１ａはね上げ後、前記プレッシャローラ５ａを搬送路に復帰させ、頁めくりローラ２とプレッシャローラ５ａとにより搬送することにより、冊子状媒体１の頁をめくることを特徴とする冊子状媒体の頁めくり装置を提供することにより達成される。
【０００６】
預金通帳等の冊子状媒体１は頁めくり操作を行うに際して搬送路上の適宜位置に捕捉される。この位置で冊子状媒体１は、上方に向けて凸な湾曲姿勢とされ、めくり対象頁１ａの自由端縁１ｂ近傍を頁めくりローラ２に当接させる。頁めくり操作は頁めくりローラ２とめくり対象頁１ａとの摩擦力を利用して行われるもので、摩擦力が大きすぎると多数枚めくりが発生し、摩擦力が過小であると、めくり操作を行うことができない。
【０００７】
上記摩擦力と頁めくりローラ２へのめくり対象頁１ａの押しつけ力との間には押しつけ力が大きくなるほど摩擦力が大きくなる関係がある。一方、例えばプレッシャ部４によって冊子状媒体１の中央部を持ち上げることにより頁めくりローラ２との当接部位に押圧力を負荷させるこの種装置にあっては、押圧力を直接管理することはできず、さらに、冊子状媒体１の摩擦係数も区々であるために、適正な押圧力を算定、適用することは一般に困難である。
【０００８】
本発明は、上記困難が頁めくりローラ２によるめくり動作が開始される時点ですでに適正な押圧力を付与しておくという考えに起因するという点に着目してなされたもので、頁めくりローラ２による頁めくり動作は冊子状媒体１の湾曲動作とともに行うことにより、頁めくり動作に必要な適正な押圧力を頁めくり操作の工程内で自動的に検出することにより、頁めくり操作の信頼性を高めるものである。
【０００９】
すなわち、本発明において、冊子状媒体１の湾曲動作を開始すると、めくり対象頁１ａは頁めくりローラ２に押しつけられ、湾曲曲率が小さくなるほど押圧力は大きくなる。一方、頁めくりローラ２は湾曲操作中頁めくり方向に回転駆動されているために、頁めくりに適正な押圧力になると自動的にめくり対象頁１ａを移動させてめくり動作を行う。したがって、本発明において、頁めくり動作に必要な押圧力は何等の特別な検出手段を使用することなく自動的に検出した結果となり、簡単な構造でめくり動作の信頼性を向上させることが可能になる。
【００１１】
【発明の実施の形態】
図２に本発明の実施の形態に係る頁めくり装置を示す。頁めくり装置は、上下一対の搬送ローラ３ａ、３ｂからなる搬送ローラ対３と、プレッシャローラ５ａ、および頁めくりローラ２からなるめくりローラ対５とを有する。各ローラ２、３ａ・・は図２（ｂ）に示すように、軸６に固定され、媒体搬送ガイド７より上方のローラに動力が伝達され、下方に配置されるローラは空転自在で上記駆動側に対する従動ローラとして構成される。
【００１２】
これら搬送ローラ対３とめくりローラ対５との中間位置には、プレッシャ部４と上部ガイド８、および跳ね上げ検知センサ９が配置される。プレッシャ部４は軸４ａ周りに回転駆動可能であり、図２における矢印Ａ方向に駆動させることにより搬送路上に飛び出させることができる。上部ガイド８は軸８ａ周りに揺動自在な揺動アーム８ｂに揺動自在に連結されており、預金通帳等の冊子状媒体１に当接する。この上部ガイド８にはセンサ遮蔽プレート８ｃが設けられており、跳ね上げ検知センサ９の光路を遮断することにより冊子状媒体１の跳ね上げ状態が検出される。
【００１３】
上記頁めくり装置の動作を説明する。まず、図２に示すように、冊子状媒体１が搬送ローラ対３により搬送されて、綴じ部１ｃが上搬送ガイド１０の終端近傍まで達すると、搬送ローラ対３の駆動を停止して冊子状媒体１を当該位置で捕捉する。この後、図１に示すように、めくりローラ対５のプレッシャローラ５ａを下方に退避させてめくり対象頁１ａ側への押さえ圧力を解除し、次いで、プレッシャ部４を駆動するとともに、頁めくりローラ２を駆動する。図１に示すように、プレッシャ部４の駆動によりプレッシャ部４は搬送路上に突出してめくり対象頁１ａを裏面から押し上げ、冊子状媒体１の自由端縁１ｂを頁めくりローラ２に押しつける。頁めくりローラ２への押し付け力はプレッシャ部４の飛び出し量が大きくなるにつれて漸次増加する。一方、頁めくりローラ２は図１における時計回り、すなわち、めくり対象頁１ａのめくり方向に回転しているために、上記押し付け力が頁めくり動作をするために必要十分な値になると、めくり対象頁１ａは頁めくりローラ２により押し出されて頁めくり動作が開始する。
【００１４】
頁めくり動作の進行に伴ってめくり対象頁１ａは湾曲の曲率を小さくしながら変曲点は上方に移動し、上部ガイド８を上方に押し付ける。図３（ｂ）に示すように、上部ガイド８のセンサ遮蔽プレート８ｃが跳ね上げ検知センサ９の光路を遮断する状態ではめくり対象頁１ａは図において破線で示すように頁めくりローラ２上に跳ね上げられており、この状態でプレッシャ部４は原位置への復帰方向に駆動されて搬送路から退避するとともに、頁めくりローラ２の駆動が停止されてめくり動作を終了する。この後、めくりローラ対５のプレッシャローラ５ａを搬送路上に復帰させて頁めくりローラ２と共に冊子状媒体１を押さえつけ、さらに、めくりローラ対５、および搬送ローラ対３を駆動して冊子状媒体１を図３（ｂ）における矢印Ａ方向、すなわち、めくりローラ対５側に送ると、頁めくりローラ２上に載った状態のめくり対象頁１ａは頁めくりローラ２により押される状態で反対側に重ねられ、頁めくり動作が完了する。
【００１５】
【発明の効果】
以上の説明から明らかなように、本発明によれば、簡単な構造で、めくり動作の信頼性を高めることができる。
【図面の簡単な説明】
【図１】本発明を示す図である。
【図２】頁めくり装置を示す図で、（ａ）は側面図、（ｂ）は正面図である。
【図３】頁めくり動作を示す図である。
【図４】頁めくり動作のフローチャート図である。
【図５】従来の頁めくり方向を示すフローチャート図である。
【符号の説明】
１        冊子状媒体
１ａ      めくり対象頁
１ｂ      自由端縁
１ｃ      綴じ部
２        頁めくりローラ
３        搬送ローラ対
４        プレッシャ部
【図１】
0003734636.tif 000002
【図２】
0003734636.tif 000003
【図３】
0003734636.tif 000004
【図４】
0003734636.tif 000005
【図５】
0003734636.tif 000006